(57)【要約】【課題】  バント練習時にバットに簡単に装着でき、かつ、バッターの手をボールから確実に保護することができるバント練習用プロテクタを提供する。【解決手段】  野球またはソフトボールのバットに装着して用いるバント練習用プロテクタ１は、バットに嵌合する二つのリング状部材１１ａ，１１ｂと、これらのリング状部材１１ａ，１１ｂを架橋する複数の鋼材１２ａ，１２ｂ，１２ｃ，１２ｄ，１２ｅとを有し、前記二つのリング状部材１１ａ，１１ｂをバットに嵌合させた際に、これらリング状部材の間においてバットを握った手を、前記複数の鋼材１２ａ，１２ｂ，１２ｃ，１２ｄ，１２ｅによってボールから保護する。【選択図】  図１
0003112182.tif 000002
【実用新案登録請求の範囲】
【請求項１】
野球またはソフトボールのバットに装着して用いるバント練習用プロテクタであって、
前記バットに嵌合する二つのリング状部材と、
前記二つのリング状部材を架橋する複数の鋼材とを有し、
前記二つのリング状部材をバットに嵌合させた際に、これらリング状部材の間においてバットを握った手を、前記複数の鋼材によってボールから保護することを特徴とするバント練習用プロテクタ。
【請求項２】
前記鋼材が角を持たないよう屈曲形成された請求項１に記載のバント練習用プロテクタ。
【請求項３】
前記リング状部材の内周に弾性材が設けられた、請求項１に記載のバント練習用プロテクタ。
【考案の詳細な説明】
【技術分野】
【０００１】  本考案は、野球またはソフトボールの練習用具に関し、特に、バント練習時にバットに装着して用いるバント練習用プロテクタに関する。
【背景技術】
【０００２】  野球またはソフトボールのバントの際、右バッターであれば、左手でバットのグリップ部分を持ち、右手でバットの打撃部（本体部）中央から先端部あたりを支えて、ボールにバットを当てる動作をする。このとき、右手（左バッターであれば左手）の甲や指にボールが当たってしまい、負傷することがある。また、このような経験をすると、バントに対して恐怖心を抱き、なかなかバントが上達しないこともある。【０００３】  従来、バント練習時にバットの打撃部を握る側の手を保護するために、一般的なバッティンググローブや軍手などの他に、手の甲や手指の表側部分にクッション材を内包したプロテクタも提案されている（例えば登録実用新案第３０８６７０２号公報参照）。
【考案の開示】
【考案が解決しようとする課題】
【０００４】  上記した従来のプロテクタは、バッターが手に装着して用いるものである。従来、バットに装着して用いるバント練習用プロテクタは存在しない。本考案は、バント練習時にバットに簡単に装着でき、かつ、バッターの手をボールから確実に保護することができるバント練習用プロテクタを提供することを目的とする。
【課題を解決するための手段】
【０００５】  上記の目的を達成するために、本考案にかかるバント練習用プロテクタは、野球またはソフトボールのバットに装着して用いるバント練習用プロテクタであって、前記バットに嵌合する二つのリング状部材と、前記二つのリング状部材を架橋する複数の鋼材とを有し、前記二つのリング状部材をバットに嵌合させた際に、これらリング状部材の間においてバットを握った手を、前記複数の鋼材によってボールから保護することを特徴とする。
【考案の効果】
【０００６】  本考案のバント練習用プロテクタは、二つのリング状部材でバットに嵌合させた際に、複数の鋼材がバッターの手の甲や指をボールから保護するので、バント練習時にバットに簡単に装着でき、かつ、バッターの手をボールから確実に保護することができる。
【考案を実施するための最良の形態】
【０００７】  以下、図面を参照しながら、本考案の一実施形態にかかるバント練習用プロテクタについて説明する。【０００８】  図１に、本実施形態にかかるバント練習用プロテクタ１を取り付けたバットをバッターが握った様子を示す。図１に示すように、バント練習用プロテクタ１は、バットに嵌合する二つのリング状部材１１ａ，１１ｂと、これらのリング状部材１１ａ，１１ｂを架橋する鋼材１２ａ，１２ｂ，１２ｃ，１２ｄ，１２ｅとを備えている。リング状部材１１ａ，１１ｂと、鋼材１２ａ，１２ｂ，１２ｃ，１２ｄ，１２ｅとは、いずれも鉄製またはクロムモリブデン製の丸鋼で形成されている。さび止めや装飾のために、表面に塗装等が施されていても良い。【０００９】  リング状部材１１ｂの内径は、リング状部材１１ａの内径よりも小さく、バットのグリップ（図示せず）の外径よりも大きく形成されている。つまり、バットを、グリップ側からリング状部材１１ａ，１１ｂに順次貫通させることにより、図１に示すように、バント練習用プロテクタ１をバットに取り付けることができる。【００１０】  鋼材１２ａ，１２ｂ，１２ｃ，１２ｄ，１２ｅは、リング状部材１１ａ，１１ｂをバットに嵌合させた際に、リング状部材１１ａとリング状部材１１ｂの間においてバットを握れる程度の高さをバット表面との間に形成するように、屈曲形成されている。【００１１】  図２は、バント練習用プロテクタ１をリング状部材１１ａ側から見た様子を示す平面図である。図３は、バント練習用プロテクタ１をリング状部材１１ｂ側から見た様子を示す平面図である。図４は、バント練習用プロテクタ１を側面から見た様子を示す図である。なお、図４においては、分かりやすさを考慮して鋼材１２ａのみを図示し、鋼材１２ｂ，１２ｃ，１２ｄ，１２ｅの図示は省略した。【００１２】  図２ないし図４に示すように、リング状部材１１ａの外径Ｒ１は、リング状部材１１ｂの外径Ｒ２よりも大きい。前述したように、バント練習用プロテクタ１は、リング状部材１１ｂがバットのグリップ側に位置し、リング状部材１１ａがバットの打撃部側に位置するよう、バットに装着される。なお、バットの軸に沿う方向における鋼材１２ａ，１２ｂ，１２ｃ，１２ｄ，１２ｅの長さＬ（図４参照）は、約１５０ｍｍである。【００１３】  リング状部材１１ａは、直径φ２が約１０ｍｍの丸鋼により、外径Ｒ１が約８７ｍｍに形成される。そして、リング状部材１１ａのおよそ半周にわたって、直径φ１が約８ｍｍの丸鋼で形成された鋼材１２ａ，１２ｂ，１２ｃ，１２ｄ，１２ｅの一端が溶接されている。リング状部材１１ａに対する鋼材１２ａ，１２ｂ，１２ｃ，１２ｄ，１２ｅの溶接箇所のピッチ（図２のＰ１）は、約３０ｍｍである。【００１４】  これに対して、図３および図４に示すように、リング状部材１１ｂは、直径φ３が約１０ｍｍの丸鋼により、外径Ｒ２が約７３ｍｍに形成される。そして、リング状部材１１ｂのおよそ半周にわたって、鋼材１２ａ，１２ｂ，１２ｃ，１２ｄ，１２ｅの他端が溶接されている。リング状部材１１ｂに対する鋼材１２ａ，１２ｂ，１２ｃ，１２ｄ，１２ｅの溶接箇所のピッチ（図３のＰ２）は、約２４．７ｍｍである。これにより、バットにバント練習用プロテ��タ１を装着した際に、バットの表面のおよそ半周が、鋼材１２ａ，１２ｂ，１２ｃ，１２ｄ，１２ｅで保護されることとなる。従って、鋼材１２ａ，１２ｂ，１２ｃ，１２ｄ，１２ｅがある側をピッチャー側へ向けてバットを構えることにより、これらの鋼材によってバッターの手をボールから保護することができる。また、鋼材１２ａ，１２ｂ，１２ｃ，１２ｄ，１２ｅの間隔はボールの直径よりも十分に小さいので、鋼材の間をボールが通り抜けることはない。【００１５】  鋼材１２ａ，１２ｂ，１２ｃ，１２ｄ，１２ｅは、リング状部材１１ａ，１１ｂに対する溶接部１３ａ，１３ｂの近傍の曲率半径ｒ（図４参照）が約２０ｍｍになるよう屈曲されている。これにより、バット表面と鋼材１２ａ，１２ｂ，１２ｃ，１２ｄ，１２ｅとの間に、バッターが手を入れてバットを握るための、少なくとも約３０ｍｍ程度の高さの間隙が形成される。また、このように、鋼材１２ａ，１２ｂ，１２ｃ，１２ｄ，１２ｅの屈曲部が角を持たないようなめらかに形成されていることにより、鋼材の屈曲部にボールが当たってもボールが損傷しにくいという利点がある。【００１６】  リング状部材１１ａ，１１ｂのそれぞれの内周には、硬質ゴムまたはフェルト等の弾性材１４ａ，１４ｂ（図２、図３参照）を設けることが好ましい。バント練習用プロテクタ１をバットに装着した際に滑り止め（廻り止め）効果を奏するからである。弾性材１４ａ，１４ｂの厚みＭ１，Ｍ２は、例えば約１ｍｍである。【００１７】  なお、リング状部材１１ａ，１１ｂをバットに嵌合させた際に、これら二つのリング状部材の間にバットの芯（ボールが当たった場合に最も飛距離が出る箇所）が位置するよう、リング状部材の径Ｒ１，Ｒ２および前記鋼材の長さＬが決定されている。なお、バットの芯は、通常、バットの先端（グリップの反対側）からグリップ側へ約１５ｃｍ程度の位置にある。これを考慮すれば、バント練習用プロテクタ１をバットに取り付けた際に、リング状部材１１ａがバットの先端からグリップ側へ約２０ｃｍ程度の位置に固定されるよう、リング状部材の径Ｒ１，Ｒ２および前記鋼材の長さＬを設計することが好ましい。このようにすれば、バッターは、自然に、バットの先端からグリップ側へ約２０ｃｍ以内の範囲にボールを当てる練習をすることとなる。この結果、バントの際に、ボールをバットの芯ではなくバットの先端により近い箇所にあてる技術を習熟でき、ボールの勢いを殺したうまいバントができるようになる。【００１８】  以上のように、本実施形態のバント練習用プロテクタ１は、バッターの指や手の甲をボールから確実に保護することができると共に、バントの上達にも貢献する。さらに、本実施形態のバント練習用プロテクタ１は、右バッター用と左バッター用の区別無く使用できるという点においても、従来のようなグローブ型のプロテクタと比較して有利である。【００１９】  なお、上記の実施形態で示した具体的数値は、本考案を限定するものではなく、考案の範囲内で種々の変更が可能である。例えば、リング状部材１１ａ，１１ｂおよび鋼材１２ａ，１２ｂ，１２ｃ，１２ｄ，１２ｅに関して示した各部の寸法は、単なる一例に過ぎず、バント練習用プロテクタ１を装着するバットの���イズに合わせて任意に設計変更することが可能である。なお、バットのサイズとリング状部材１１ａ，１１ｂの径との間に若干の差異がある場合は、リング状部材に適宜ビニールテープ等を巻き付けることによって、バットのサイズに適合するように調整しても良い。【００２０】  また、本実施形態では、鋼材を５本有する構成を例示したが、バッターの手をボールから十分に保護できることを条件として、鋼材の本数は任意である。
【産業上の利用可能性】
【００２１】  本考案は、野球またはソフトボールのバント練習用プロテクタとして利用可能である。
【図面の簡単な説明】
【００２２】
【図１】  バント練習用プロテクタを取り付けたバットをバッターが握った様子を示す斜視図である。
【図２】  バント練習用プロテクタをリング状部材側から見た様子を示す平面図である。
【図３】  バント練習用プロテクタをリング状部材側から見た様子を示す平面図である。
【図４】  バント練習用プロテクタの側面図である。
【符号の説明】
【００２３】１    バント練習用プロテクタ
１１  リング状部材
１２  鋼材
１３  溶接箇所
１４  弾性材
【図１】
0003112182.tif 000003
【図２】
0003112182.tif 000004
【図３】
0003112182.tif 000005
【図４】
0003112182.tif 000006